(57)【要約】【課題】広告効果を高めること。【解決手段】本願にかかる配信装置は、広告受付部と、記事受付部と、配信部とを有する。広告受付部は、広告主から広告コンテンツの入稿を受け付ける。記事受付部は、記事コンテンツを製作する製作者から記事コンテンツの入稿を受け付ける。配信部は、広告受付部によって受け付けられた広告コンテンツであって、リンク先が記事受付部によって受け付けられた記事コンテンツとなるように広告コンテンツを配信する。これにより、本願にかかる配信装置は、広告効果を高めることができる。【選択図】図２
2016218863.tif 000002
【特許請求の範囲】
【請求項１】
広告主から広告コンテンツの入稿を受け付ける広告受付部と、
記事コンテンツを製作する製作者から記事コンテンツの入稿を受け付ける記事受付部と、
前記広告受付部によって受け付けられた広告コンテンツであって、リンク先が前記記事受付部によって受け付けられた記事コンテンツとなるように広告コンテンツを配信する配信部と、
を有することを特徴とする配信装置。
【請求項２】
前記記事受付部は、前記広告受付部によって受け付けられた広告コンテンツのうち、前記製作者から広告コンテンツの選択を受け付け、
前記配信部は、前記リンク先が前記記事コンテンツとなるような広告コンテンツとして、当該記事コンテンツを制作した製作者によって選択された広告コンテンツを配信する
ことを特徴とする請求項１に記載の配信装置。
【請求項３】
前記広告受付部は、前記広告主から、当該広告主によって入稿された広告コンテンツのリンク先となる記事コンテンツに関する所定の条件の指定を受け付け、
前記記事受付部は、前記所定の条件を満たす記事コンテンツを製作した製作者から、前記所定の条件を指定した広告主によって入稿された広告コンテンツの選択を受け付ける
ことを特徴とする請求項１または２に記載の配信装置。
【請求項４】
前記広告受付部によって受け付けられた広告コンテンツのうち、各製作者によって制作された記事コンテンツに応じた広告コンテンツを選択する選択部をさらに有し、
前記配信部は、前記選択部によって選択された広告コンテンツであって、リンク先が前記記事受付部によって受け付けられた記事コンテンツとなるように広告コンテンツを配信する
ことを特徴とする請求項１に記載の配信装置。
【請求項５】
前記広告受付部は、前記広告主から、当該広告主によって入稿された広告コンテンツのリンク先となる記事コンテンツに関する所定の条件の指定を受け付け、
前記選択部は、前記所定の条件を満たす記事コンテンツに応じた広告コンテンツを、前記所定の条件を指定した広告主によって入稿された広告コンテンツから選択する
ことを特徴とする請求項４に記載の配信装置。
【請求項６】
前記配信部は、リンク元として広告コンテンツが配信される記事コンテンツが複数である場合、各記事コンテンツに対応する広告コンテンツが重複しないように、複数の記事コンテンツを選択し、選択した記事コンテンツに対応する広告コンテンツを配信する
ことを特徴とする請求項１〜５に記載の配信装置。
【請求項７】
前記配信部は、リンク元として広告コンテンツが配信される記事コンテンツが複数存在し、かつ、当該記事コンテンツ対して複数の広告コンテンツが選択されている場合に、各記事コンテンツに対応する広告コンテンツが重複しないように、複数の広告コンテンツから所定の広告コンテンツを選択し、選択した広告コンテンツを配信する
ことを特徴とする請求項１〜６に記載の配信装置。
【請求項８】
前記配信部は、記事コンテンツ対して複数の広告コンテンツが選択されている場合に、当該複数の広告コンテンツの入札価格に基づいて、当該記事コンテンツのリンク元となる広告コンテンツを決定する
ことを特徴とする請求項１〜７に記載の配信装置。
【請求項９】
前記配信部は、記事コンテンツ対して複数の広告コンテンツが選択されている場合に、配信先のユーザ端末を利用するユーザのユーザ属性に基づいて、当該記事コンテンツのリンク元となるような広告コンテンツを配信する
ことを特徴とする請求項１〜８に記載の配信装置。
【請求項１０】
前記配信部は、前記広告コンテンツに対応する記事コンテンツの見出しが表示される広告コンテンツを配信する
ことを特徴とする請求項１〜９に記載の配信装置。
【請求項１１】
前記配信部は、前記広告コンテンツの所定箇所に前記見出しが重ならないように表示される広告コンテンツを配信する
ことを特徴とする請求項１０に記載の配信装置。
【請求項１２】
前記配信部は、前記広告コンテンツに対応する記事コンテンツであって、当該広告コンテンツに関連する所定の広告コンテンツが表示されるような記事コンテンツを配信する
ことを特徴とする請求項１〜１１に記載の配信装置。
【請求項１３】
前記配信部によって配信された広告コンテンツの入稿元の広告主に対して、当該広告コンテンツの配信実績に基づく課金額を算定する算定部をさらに有する
ことを特徴とする請求項１〜１２に記載の配信装置。
【請求項１４】
前記算定部は、前記広告コンテンツが表示された表示サイズに応じた課金額を算定する
ことを特徴とする請求項１３に記載の配信装置。
【請求項１５】
前記広告受付部によって受け付けられた広告コンテンツが、当該広告コンテンツの入稿元の広告主に対応するか否かを審査する審査部をさらに有し、
前記配信部は、前記広告主に対応すると判定された広告コンテンツを配信する
ことを特徴とする請求項１〜１４に記載の配信装置。
【請求項１６】
前記広告コンテンツは、当該広告コンテンツに関する画像または動画である
ことを特徴とする請求項１〜１５に記載の配信装置。
【請求項１７】
コンピュータが実行する配信方法であって、
広告主から広告コンテンツの入稿を受け付ける広告受付工程と、
記事コンテンツを製作する製作者から記事コンテンツの入稿を受け付ける記事受付工程と、
前記広告受付工程によって受け付けられた広告コンテンツであって、リンク先が前記記事受付工程によって受け付けられた記事コンテンツとなるように広告コンテンツを配信する配信工程と、
を含んだことを特徴とする配信方法。
【請求項１８】
広告主から広告コンテンツの入稿を受け付ける広告受付手順と、
記事コンテンツを製作する製作者から記事コンテンツの入稿を受け付ける記事受付手順と、
前記広告受付手順によって受け付けられた広告コンテンツであって、リンク先が前記記事受付手順によって受け付けられた記事コンテンツとなるように広告コンテンツを配信する配信手順と、
をコンピュータに実行させることを特徴とする配信プログラム。
【請求項１９】
ユーザ端末に、
配信装置から、当該配信装置によって受け付けられた広告コンテンツと、記事コンテンツとを受信する受信手順と、
前記受信手順によって受け付けられた広告コンテンツであって、リンク先が前記受信手順によって受け付けられた記事コンテンツである広告コンテンツを表示させる表示手順と、
を実行させることを特徴とする端末プログラム。
【発明の詳細な説明】
【技術分野】
【０００１】
本発明は、配信装置、配信方法、配信プログラムおよび端末プログラムに関する。
【背景技術】
【０００２】
近年、インターネットの飛躍的な普及に伴い、インターネットを介した広告配信が盛んに行われている。例えば、ウェブページの所定の位置に、企業や商品等を宣伝する広告コンテンツを表示し、かかる広告コンテンツがクリックされた場合に、広告主のウェブページへ遷移させる広告配信が行われている。
【０００３】
このような広告配信に関する技術として、ユーザの嗜好に合った広告コンテンツを配信する技術が提案されている（例えば、特許文献１）。
【先行技術文献】
【特許文献】
【０００４】
【特許文献１】特開２０１５−５０５２号公報
【発明の概要】
【発明が解決しようとする課題】
【０００５】
しかしながら、上記の従来技術では、広告効果を高めることができるとは限らない。具体的には、上記の従来技術では、ウェブページの一部の領域に広告コンテンツが表示されるため、必ずしも広告コンテンツ視認されるとは限らない。このため、上記の従来技術では、広告効果を高めることができるとは限らない。
【０００６】
本願は、上記に鑑みてなされたものであって、広告効果を高めることができる配信装置、配信方法、配信プログラムおよび端末プログラムを提供することを目的とする。
【課題を解決するための手段】
【０００７】
本願にかかる配信装置は、広告主から広告コンテンツの入稿を受け付ける広告受付部と、記事コンテンツを製作する製作者から記事コンテンツの入稿を受け付ける記事受付部と、前記広告受付部によって受け付けられた広告コンテンツであって、リンク先が前記記事受付部によって受け付けられた記事コンテンツとなるように広告コンテンツを配信する配信部と、を有することを特徴とする。
【発明の効果】
【０００８】
実施形態の一態様によれば、広告効果を高めることができる配信装置、配信方法および配信プログラムを提供することができる。
【図面の簡単な説明】
【０００９】
【図１】図１は、第１の実施形態にかかる配信処理の一例を示す図である。
【図２】図２は、第１の実施形態にかかる配信装置の構成例を示す図である。
【図３】図３は、第１の実施形態にかかる広告情報記憶部の一例を示す図である。
【図４】図４は、第１の実施形態にかかる記事情報記憶部の一例を示す図である。
【図５】図５は、ユーザ端末における広告画像および記事コンテンツの表示の一例を示す図である。
【図６】図６は、第１の実施形態にかかる配信システムによる配信処理手順を示すフローチャートである。
【図７】図７は、第２の実施形態にかかる配信装置の構成例を示す図である。
【図８】図８は、第１および第２の実施形態にかかる変形例における広告画像の表示の一例を示す図である。
【図９】図９は、第１および第２の実施形態にかかる変形例における記事情報記憶部の一例を示す図である。
【図１０】図１０は、配信装置の機能を実現するコンピュータの一例を示すハードウェア構成図である。
【発明を実施するための形態】
【００１０】
以下に本願にかかる配信装置、配信方法および配信プログラムを実施するための形態（以下、「実施形態」と呼ぶ）について図面を参照しつつ詳細に説明する。なお、この実施形態により本願にかかる配信装置、配信方法および配信プログラムが限定されるものではない。また、以下の各実施形態において同一の部位には同一の符号を付し、重複する説明は省略される。
【００１１】
（第１の実施形態）
〔１．配信処理〕
まず、図１を用いて、第１の実施形態にかかる配信処理の一例について説明する。図１は、第１の実施形態にかかる配信処理の一例を示す図である。図１に示す例では、配信システム１は、広告主端末１０と、製作者端末２０と、ユーザ端末３０と、配信装置１００とを有する。広告主端末１０と、製作者端末２０と、ユーザ端末３０と、配信装置１００とは、ネットワークを介して有線または無線により通信可能に接続される。
【００１２】
なお、図１は一例であり、広告主端末１０、製作者端末２０、ユーザ端末３０、配信装置１００それぞれの数は、図１に示す数に限るものではない。例えば、配信システム１は、複数台の広告主端末１０、複数台の製作者端末２０、複数台のユーザ端末３０、複数台の配信装置１００で構成されてもよい。
【００１３】
広告主端末１０は、広告主によって利用される端末装置である。例えば、広告主端末１０は、デスクトップ型ＰＣ（Personal  Computer）や、ノート型ＰＣや、タブレット端末や、携帯電話機や、ＰＤＡ（Personal  Digital  Assistant）等である。そして、広告主端末１０は、広告主の操作に従って、広告コンテンツを配信装置１００に入稿する。広告コンテンツは、広告に関する画像（広告動画）や動画（広告動画）等である。本実施形態では、広告コンテンツは、広告画像であるものとする。また、このような広告画像は、ユーザ端末３０に表示されるウェブコンテンツといえる。
【００１４】
例えば、広告主が所定の企業である場合、その企業の従業員は、自社のロゴマーク等を表記した自社製品の画像を広告画像として、広告主端末１０を用いて、広告画像を配信装置１００に入稿する。このように、ロゴマーク等が表示される広告画像はブランディング広告等と呼ばれる。なお、広告主は、広告主端末１０を用いて、配信装置１００に広告画像を入稿せずに、かかる入稿を代理店に依頼する場合もある。この場合、配信装置１００に広告画像を入稿するのは代理店となる。したがって、以下では、「広告主」といった表記は、広告主だけではなく代理店を含む概念であり、「広告主端末」といった表記は、広告主の端末装置だけではなく代理店によって利用される代理店の端末装置を含む概念であるものとする。
【００１５】
製作者端末２０は、製作者によって利用される端末装置である。例えば、製作者端末２０は、デスクトップ型ＰＣや、ノート型ＰＣや、タブレット端末や、携帯電話機や、ＰＤＡ等である。ここで、製作者とは、記事コンテンツを製作する製作主であり、例えば、新聞社、出版社、ブログの執筆主（ブロガー）等である。そして、製作者は、例えば、時事ネタやコラム等の記事コンテンツを製作し、製作者端末２０を用いて、制作した記事コンテンツを配信装置１００に入稿する。なお、製作者は、製作者端末２０を用いて、配信装置１００に記事コンテンツを入稿せずに、かかる入稿を、例えば、記事を集約する集約業者に依頼する場合がある。この場合、配信装置１００に記事コンテンツを入稿するのは集約業者となる。したがって、以下では、「製作者」といった表記は、製作者だけでなく集約業者を含む概念であり、「製作者端末」といった表記は、製作者の端末装置だけでなく集約業者によって利用される集約業者の端末装置を含む概念であるものとする。
【００１６】
また、本実施形態では、広告画像のリンク先が記事コンテンツとなる。このため、製作者は、自身の記事コンテンツのリンク元となる広告画像を製作者端末２０を用いて選択する。したがって、広告画像がクリック等により選択された場合に、クリックされた広告画像に対応する記事コンテンツへと遷移する。
【００１７】
ユーザ端末３０は、ユーザによって利用される端末装置である。例えば、ユーザ端末３０は、デスクトップ型ＰＣや、ノート型ＰＣや、タブレット端末や、携帯電話機や、ＰＤＡ等である。また、ユーザ端末３０は、配信装置１００から受け付けた広告画像を表示する。
【００１８】
配信装置１００は、広告主端末１０から広告画像の入稿を受け付ける。また、配信装置１００は、広告主端末１０から記事コンテンツの入稿と、広告画像の選択を受け付ける。そして、配信装置１００は、広告画像を選択した製作者によって制作された記事コンテンツをリンク先とする広告画像をユーザ端末３０に配信する。以下では、第１の実施形態にかかる配信処理について具体的に説明する。
【００１９】
まず、各広告主は、広告主端末１０を用いて、広告画像を配信装置１００に入稿する（ステップＳ１）。図１では、広告主Ｃ１によって広告画像ＡＤ１が配信装置１００に対して入稿される例を示す。
【００２０】
また、各製作者は、製作者端末２０を用いて、自身の製作した記事コンテンツを入稿するとともに、入稿した記事コンテンツのリンク元となる広告画像を選択する（ステップＳ２）。図１の例では、製作者Ａ１によって記事コンテンツＮＷ１が配信装置１００に入稿されるとともに、記事コンテンツＮＷ１のリンク元となる広告画像として広告画像ＡＤ１が選択される例を示す。
【００２１】
ここで、ユーザ端末３０から広告画像が表示されるウェブコンテンツの要求であるコンテンツリクエストが送信されたとする（ステップＳ３）。配信装置１００は、コンテンツリクエストを受け付けると、リンク元として広告画像が表示される記事コンテンツを決定する（ステップＳ４）。例えば、配信装置１００は、記事コンテンツが入稿された順が新しい順（新着順）に５本の記事コンテンツを広告画像が表示される記事コンテンツとして決定するものとする。ここで、配信装置１００は、製作者Ａ１によって制作された記事コンテンツＮＷ１を５本の記事コンテンツのうちの一つとして決定したとする。
【００２２】
配信装置１００は、決定した５本の記事コンテンツそれぞれを製作した製作者によって選択された広告画像を取得する（ステップＳ５）。そして、配信装置１００は、取得した各広告画像に対して、各広告画像に対応する記事コンテンツへのリンクを生成する（ステップＳ６）。なお、本実施形態では、上記のように、製作者によって製作された記事コンテンツと、かかる製作者によって選択された広告画像とを「対応する」と表記する場合がある。そして、このような記事コンテンツと広告画像とは互いにリンク先とリンク元の関係にある。
【００２３】
そして、配信装置１００は、取得した広告画像と、取得した広告画像に対して生成したリンクを対応付けてユーザ端末３０に配信する（ステップＳ７）。ユーザ端末３０は、配信装置１００から受け付けた広告画像を表示する（ステップＳ８）。例えば、ユーザ端末３０は、配信装置１００から受信した広告画像を所定のフォーマットにレイアウトし、レイアウトしたものを表示する。これにより、図１に示すように、ユーザ端末３０には、製作者Ａ１によって選択された広告画像ＡＤ１を含む５つの広告画像が表示される。配信装置１００は、このように広告画像のみを表示させることで、ユーザが広告画像を視認する機会を増やすことができるため、広告効果を高めることができる。
【００２４】
ここで、ユーザ端末３０に表示された広告画像のうち、広告画像ＡＤ１が押下されたとする。これにより、ユーザ端末３０は、広告画像ＡＤ１に対応する記事コンテンツを要求するページリクエストを配信装置１００に送信する。配信装置１００は、ページリクエストを受け付けると、広告画像ＡＤ１は製作者Ａ１によって選択された広告画像であることから、製作者Ａ１によって製作された記事コンテンツＮＷ１を取得し、取得した記事コンテンツＮＷ１をユーザ端末３０に配信する。これにより、ウェブページＷ１から記事コンテンツＮＷ１へと遷移する（ステップＳ８）。
【００２５】
このように、配信装置１００は、広告主から広告画像の入稿を受け付け、製作者から記事コンテンツの入稿と、広告画像の選択とを受け付ける。そして、配信装置１００は、コンテンツリクエストに応じて、リンク元として広告画像が表示される記事コンテンツを決定し、決定した記事コンテンツに対するリンク元である広告画像をユーザ端末３０に配信する。
【００２６】
これにより、配信装置１００は、ユーザに対し広告画像をより視認し易くすることができるため、広告効果を高めることができる。また、配信装置１００は、製作者に画像や動画を提供することができるため、製作者に対する記事コンテンツの制作支援を行うことができる。
【００２７】
〔２．配信装置の構成〕
次に、図２を用いて、第１の実施形態にかかる配信装置１００の構成について説明する。図２は、第１の実施形態にかかる配信装置１００の構成例を示す図である。図２に示すように、配信装置１００は、通信部１１０と、記憶部１２０と、制御部１３０とを有する。
【００２８】
通信部１１０は、例えば、ＮＩＣ（Network  Interface  Card）等によって実現される。そして、通信部１１０は、ネットワークと有線又は無線で接続され、広告主端末１０や製作者端末２０やユーザ端末３０との間で情報の送受信を行う。
【００２９】
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。記憶部１２０は、広告情報記憶部１２１と、記事情報記憶部１２２とを有する。
【００３０】
広告情報記憶部１２１は、広告主端末１０から受け付けた広告コンテンツに関する各種情報を記憶する記憶部である。上述したように、広告コンテンツは、広告に関する画像や動画等である。ここで、図３に、第１の実施形態にかかる広告情報記憶部１２１の一例を示す。図３の例では、広告情報記憶部１２１は、「広告主ＩＤ」、「広告ＩＤ」、「広告データ」、「入札単価」といった項目を有する。
【００３１】
「広告主ＩＤ」は、広告主または広告主端末１０を識別するための識別情報である。「広告ＩＤ」は、広告画像を識別するための識別情報である。「広告データ」は、広告画像に関するデータである。図３の例では、広告データを概念的な記号で示しているが、実際には、広告データは、広告コンテンツに関する画像データや動画データ等である。「入札単価」は、クリック単価とも呼ばれ、広告画像が１回クリックされた際に、広告配信者（例えば、配信装置１００の管理者）が広告主に課金する金額の単価に該当する。
【００３２】
すなわち、図３では、広告主ＩＤ「Ｃ１１」によって識別される広告主が、広告ＩＤ「ＡＤ１１」によって識別される広告データ「Ｇ１１．ｇｉｆ」を入稿するとともに、入札単価「１１５円」を設定している例を示す。なお、以下の実施形態では、各広告画像を区別するために、広告ＩＤを用いる場合がある。例えば、広告ＩＤ「ＡＤ１１」によって識別される広告画像を広告画像ＡＤ１１と表記する場合がある。
【００３３】
図２に戻り、記事情報記憶部１２２は、製作者端末２０から受け付けた記事コンテンツに関する各種情報を記憶する記憶部である。ここで、図４に、第１の実施形態にかかる記事情報記憶部１２２の一例を示す。図４の例では、記事情報記憶部１２２は、「製作者ＩＤ」、「製作者名」、「記事ＩＤ」、「記事データ」、「広告ＩＤ」といった項目を有する。
【００３４】
「製作者ＩＤ」は、製作者または製作者端末２０を識別するための識別情報である。「製作者名」は、記事コンテンツを製作した製作主の個人名や社名を示す。また、記事情報記憶部１２２は、製作者から製作者が属する業種のカテゴリ（業種カテゴリ）も受け付けてよい。例えば、記事情報記憶部１２２は、「新聞社」、「出版社」といった業種カテゴリを受け付けてもよいし、さらに細分化された業種カテゴリとして、例えば「新聞社：経済、出版社：少年誌」といったものを受け付けてもよい。なお、記事情報記憶部１２２は、業種カテゴリを受け付けるのではなく、例えば、製作者名から製作者が属する業種カテゴリを判定してもよい。
【００３５】
「記事ＩＤ」は、記事コンテンツを識別するデータである。図４の例では、記事データを概念的な記号で示しているが、実際には、記事データは、記事コンテンツの元となるＨＴＭＬソースである。なお、記事データは、必ずしもＨＴＭＬソースである必要はなく、例えば、記事そのもののテキストデータであってもよい。この場合、配信装置１００や配信装置１００の管理者によって、かかるテキストデータからＨＴＭＬソースが生成される。
【００３６】
「広告ＩＤ」は、各製作者によって選択された広告画像を識別するための識別情報であり、図３に示した広告ＩＤに対応する。
【００３７】
すなわち、図４の例では、製作者ＩＤ「Ａ１１」によって識別される製作者である「ＡＡ社」が、自身の制作した記事コンテンツであって、記事ＩＤ「ＮＷ１１」によって識別される記事コンテンツのデータ「Ｐ１１．ｈｔｍｌ」を入稿している例を示す。また、製作者ＩＤ「Ａ１１」によって識別される製作者は、自身の記事コンテンツ「ＮＷ１１」のリンク元となる広告画像として、広告画像「ＡＤ１２」を選択している例を示す。なお、以下の実施形態では、各製作者を区別するために、製作者ＩＤを用いる場合がある。例えば、製作者ＩＤ「Ａ１１」によって識別される製作者を製作者Ａ１１と表記する場合がある。
【００３８】
図２に戻り、制御部１３０は、例えば、ＣＰＵ（Central  Processing  Unit）やＭＰＵ（Micro  Processing  Unit）等によって、配信装置１００内部の記憶装置に記憶されている各種プログラムがＲＡＭを作業領域として実行されることにより実現される。例えば、この各種プログラムは、ウェブブラウザと呼ばれるアプリケーションプログラムに該当する。また、制御部１３０は、例えば、ＡＳＩＣ（Application  Specific  Integrated  Circuit）やＦＰＧＡ（Field  Programmable  Gate  Array）等の集積回路により実現される。
【００３９】
図２に示すように、制御部１３０は、広告受付部１３１と、審査部１３２と、記事受付部１３３と、受付部１３４と、決定部１３５と、配信部１３６と、算定部１３７とを有し、以下に説明する情報処理の機能や作用を実現または実行する。なお、制御部１３０の内部構成は、図２に示した構成に限られず、後述する情報処理を行う構成であれば他の構成であってもよい。また、制御部１３０が有する各処理部の接続関係は、図２に示した接続関係に限られず、他の接続関係であってもよい。
【００４０】
広告受付部１３１は、広告主端末１０から広告画像の入稿を受け付ける。そして、広告受付部１３１は、受け付けた広告画像を所定の広告主ＩＤおよび広告ＩＤに対応付けて、広告情報記憶部１２１に格納する。
【００４１】
審査部１３２は、広告受付部１３１によって受け付けられた広告画像が、広告画像の入稿元の広告主に対応するものであるか否かを審査する。そして、後述する配信部１３６は、審査部１３２によって対応すると判定された広告画像を配信する。
【００４２】
審査部１３２の処理について説明する。例えば、配信装置１００は、所定の記憶部に各広告主の業種に関するカテゴリや、各広告主のロゴマークを記憶しているものとする。審査部１３２は、広告受付部１３１によって広告画像が受け付けられると、受け付けられた広告画像に対応する広告主の業種カテゴリと、受け付けられた広告画像のメタ情報とのマッチングを行い、業種カテゴリとメタ情報が一致した場合には、審査部１３２は、かかる広告画像が広告画像の入稿元の広告主に対応するものと判定する。
【００４３】
ここで、審査部１３２の処理の一例を示す。例えば、広告受付部１３１によって、コーヒーショップである広告主「Ｃ２０」による広告画像ＡＤ２０の入稿が受け付けられたとする。これにより、審査部１３２は、所定の記憶部を参照し、広告主「Ｃ２０」が例えば、カテゴリ「コーヒーショップ」に属することを特定する。また、審査部１３２は、広告主「Ｃ２０」によって入稿された広告画像ＡＤ２０に含まれるメタ情報が「コーヒー」であることを特定したとする。これにより、審査部１３２は、カテゴリ「コーヒーショップ」とメタ情報「コーヒー」とのマッチングにより、両者が一致することから、広告画像ＡＤ２０が広告主「Ｃ２０」に対応するものであると判定する。なお、このような判定処理を実現する場合には、予め、広告主によって広告画像にメタ情報が付与されておく必要がある。
【００４４】
また、審査部１３２による他の処理について説明する。上記のように、配信装置１００は、所定の記憶部に各広告主の業種に関するカテゴリや、各広告主のロゴマークを記憶しているものとする。審査部１３２は、広告受付部１３１によって広告画像が受け付けられると、受け付けられた広告画像と、受け付けられた広告画像に対応する広告主のロゴマークとを比較する。そして、審査部１３２は、受け付けられた広告画像内に、受け付けられた広告画像に対応する広告主のロゴマークが含まれるか否かを判定する。そして、審査部１３２は、含まれると判定した場合には、かかる広告画像が広告画像入稿元の広告主に対応するものと判定する。
【００４５】
記事受付部１３３は、記事コンテンツを製作する製作者から記事コンテンツの入稿を受け付ける。そして、記事受付部１３３は、受け付けた記事コンテンツを所定の製作者ＩＤおよび記事ＩＤに対応付けて、記事情報記憶部１２２に格納する。
【００４６】
また、記事受付部１３３は、広告受付部１３１によって受け付けられた広告画像のうち、製作者から広告画像の選択を受け付ける。具体的には、記事受付部１３３は、広告情報記憶部１２１に格納されている広告画像を製作者端末２０から閲覧可能に公開することで、製作者から広告画像の選択を受け付ける。そして、記事受付部１３３は、製作者から選択を受け付けた広告コンテンツの「広告ＩＤ」を、かかる製作者の記事ＩＤに対応付けて、記事情報記憶部１２２に格納する。
【００４７】
受付部１３４は、ユーザ端末３０からウェブコンテンツの要求であるコンテンツリクエストや、ウェブページの要求であるページリクエストを受け付ける。上述したように、本実施形態において、広告画像はウェブコンテンツの一種であるものとする。
【００４８】
決定部１３５は、受付部１３４によってコンテンツリクエストが受け付けられた場合に、リンク元として広告画像が表示される記事コンテンツを決定する。例えば、図１に示すようなレイアウトで５つの広告画像を表示することが予め決められているとすると、決定部１３５は、記事コンテンツが入稿された順が新しい順（新着順）に５本の記事コンテンツを、リンク元として広告画像が表示される記事コンテンツとして決定する。
【００４９】
また、決定部１３５は、コンテンツリクエスト送信元のユーザのユーザ属性に応じた記事コンテンツを、広告画像が表示される記事コンテンツとして決定してもよい。例えば、決定部１３５は、コンテンツリクエスト送信元のユーザのユーザ属性が「女性」である場合には、女性向けの記事コンテンツを広告画像が表示される記事コンテンツとして決定してもよい。この場合、例えば、記事受付部１３３によって、記事コンテンツとともに、記事コンテンツが属するカテゴリが受け付けられる、または、記事受付部１３３による記事コンテンツのカテゴリ分けが行われておくことにより、決定部１３４は、ユーザ属性「女性」に応じたカテゴリとして、例えば、「化粧品」や「アクセサリ」といったカテゴリに属する記事コンテンツから、新着順に５本の記事コンテンツを広告画像が表示される記事コンテンツとして決定する。
【００５０】
また、決定部１３５は、新着順やユーザ属性を考慮せずに、ランダムで所定数（例えば、５本）の記事コンテンツを広告画像が表示される記事コンテンツとして決定してもよい。なお、以下に示す実施形態では、決定部１３５は、新着順に５本の記事コンテンツを広告画像が表示される記事コンテンツとして決定するものとする。
【００５１】
配信部１３６は、広告受付部１３１によって受け付けられた広告画像であって、リンク先が記事受付部１３３によって受け付けられた記事コンテンツである広告画像を配信する。具体的には、配信部１３６は、決定部１３５によって決定された記事コンテンツを製作した製作者によって選択された広告画像を広告情報記憶部１２１から取得する。そして、配信部１３６は、取得した広告画像に対し、かかる広告画像に対応する記事コンテンツへのリンクを生成する。そして、配信部１３６は、取得した広告画像と、取得した広告画像に対して生成したリンクとを対応付けて、ユーザ端末３０に配信する。これにより、ユーザ端末３０は、コンテンツリクエストにより配信装置１００から受け付けた広告画像を、例えば、所定のフォーマットにレイアウトし、レイアウトしたものを表示する。
【００５２】
ここで、配信部１３６による広告画像の配信処理の一例について、図４を用いて説明する。例えば、ユーザ端末３０からのコンテンツリクエストに応じて、決定部１３５によって、５つの記事コンテンツ「ＮＷ１１」、「ＮＷ１２」、「ＮＷ１４」、「ＮＷ１８」、「ＮＷ２０」が、広告画像が表示される記事コンテンツとして決定されたとする。
【００５３】
配信部１３６は、決定部１３５から広告画像が表示される記事コンテンツが決定された旨の通知を受けると、記事情報記憶部１２２を参照し、決定部１３５によって決定された記事コンテンツ「ＮＷ１１」、「ＮＷ１２」、「ＮＷ１４」、「ＮＷ１８」、「ＮＷ２０」それぞれに対応する広告画像の広告ＩＤ「ＡＤ１２」、「ＡＤ２０」、「ＡＤ１８」、「ＡＤ１３」、「ＡＤ１９」を特定する。このように、例えば、記事コンテンツ「ＮＷ１１」に対応する広告画像とは、記事コンテンツ「ＮＷ１１」を製作した製作者「Ａ１１」によって選択された広告画像「ＡＤ１２」を示す。
【００５４】
そして、配信部１３６は、広告情報記憶部１２１を参照し、特定した広告ＩＤに対応する広告画像「Ｇ１２．ｇｉｆ」（ＡＤ１２）、「Ｇ２０．ｇｉｆ」（ＡＤ２０）、「Ｇ１８．ｇｉｆ」（ＡＤ１８）、「Ｇ１３．ｇｉｆ」（ＡＤ１３）、「Ｇ１９．ｇｉｆ」（Ａｄ１９）を取得する。そして、配信部１３６は、取得した各広告画像に対し、各広告画像に対応する記事コンテンツへのリンク（例えば、ＵＲＬ）を生成する。なお、配信部１３６は、生成したリンクを記事情報記憶部１２２において記事コンテンツに対応付けて格納してもよい。そして、配信部１３６は、取得した各広告画像と、各広告画像に対して生成したリンクとを対応付けて、ユーザ端末３０に配信する。これにより、ユーザ端末３０は、配信部１３６によって取得された広告画像を表示する。なお、配信部１３６は、取得した各広告画像に対して生成したリンクを貼り付け、リンクが貼り付けられた各広告画像を配信してもよいし、このようなリンクを貼り付ける処理は、ユーザ端末３０によって行われてもよい。
【００５５】
図５は、ユーザ端末３０における広告画像および記事コンテンツの表示の一例を示す図である。図５に示すように、配信部１３６によって取得された広告画像ＡＤ１２、ＡＤ１３、ＡＤ１８、ＡＤ１９、ＡＤ２０それぞれが、所定の位置にレイアウトされて表示されている。
【００５６】
ここで、ユーザ端末３０によって広告画像がレイアウトされるために、配信部１３６によって、かかるフォーマットのどの位置に広告画像をレイアウトさせるかが決められるレイアウト処理について説明する。
【００５７】
図５に示すように、広告画像が表示されるフォーマットには、２種類のサイズの広告領域が存在する。すなわち、かかるフォーマットは、大サイズの広告領域１つと、小サイズの広告領域４つを含む計５つの広告領域をから成るフォーマットである。
【００５８】
大サイズの広告領域に表示される広告画像は、ユーザに対してより視認され易くなるため、小サイズの広告領域に表示される広告画像より広告効果が高くなるといえる。このため、配信部１３６によって取得された広告画像に対する広告領域がランダムで決定されると、特定の広告画像が大サイズの広告領域に何度も表示されるといった偏りが生じてしまう可能性がある。
【００５９】
そこで、配信部１３６は、１度大サイズの広告領域に表示するよう決定した広告画像に対し、所定の期間が経過するまでは、大サイズの広告領域に表示させないといった処理、あるいは、各広告画像に対し大サイズの広告領域に表示可能な回数に制限を設けるといった処理を行ってもよい。
【００６０】
また、配信部１３６は、コンテンツリクエストを受け付ける度に、取得した広告画像において、大サイズの広告領域に表示させるものをローテーションして決め、小サイズの広告領域に表示させるものを、残りの広告画像でランダムに決定してもよい。
【００６１】
また、例えば、広告受付部１３１によって広告画像とともに、広告領域のサイズ指定が受け付けられることにより、配信部１３６は、取得した広告画像に対して指定されている広告領域サイズに応じて、取得した広告画像を表示させてもよい。なお、上述してきたレイアウト処理は、ユーザ端末３０によって行われてもよい。具体的には、ユーザ端末３０は、配信装置１００から受け付けた広告画像をフォーマットのどの広告領域にレイアウトするかを決定してもよい。
【００６２】
次に、配信部１３６による記事コンテンツの配信処理について、図５を用いて説明する。配信部１３６は、広告画像が押下された場合に、押下された広告画像に張られているリンクに基づいて、リンク先の記事コンテンツを取得し、取得した記事コンテンツをユーザ端末３０に配信する。
【００６３】
例えば、図５に示す広告画像のうち、広告画像ＡＤ２０が押下されたとする。これに応じて、ユーザ端末３０は、広告画像ＡＤ２０に対して張られているリンクを含むページリクエストを配信装置１００に送信する。配信装置１００の受付部１３４によって、ページリクエストが受け付けられると、配信部１３６は、受け付けられたページリクエストに含まれるリンクに基づいて、リンク先が記事コンテンツＮＷ１２であることを特定する。
【００６４】
そして、配信部１３６は、特定した記事コンテンツＮＷ１２に対応付けられている記事データ「Ｐ１２．ｈｔｍｌ」を記事情報記憶部１２２から取得する。そして、配信部１３６は、取得した記事データ「Ｐ１２．ｈｔｍｌ」をユーザ端末３０に配信することで、ユーザ端末３０に記事データ「Ｐ１２．ｈｔｍｌ」に基づくウェブページＰ１２を表示させる。
【００６５】
算定部１３７は、配信部１３６によって配信された広告画像の入稿元の広告主に対して、広告画像の配信実績に基づく課金額を算定する。以下では、算定部１３７の処理について説明する。
【００６６】
算定部１３７は、例えば、配信実績として、広告画像がクリックされたクリック数に基づいて、課金額を算定する。この場合、例えば、受付部１３４によって広告画像がクリックされた旨の通知が受け付けられ、受け付けられる度に広告情報記憶部１２１においてクリック数が加算されてゆく。
【００６７】
そして、算定部１３７は、定期的に広告情報記憶部１２１を参照し、各広告画像の入札単価とクリック数とに基づいて、課金額を算出する。そして、算定部１３７は、算出した課金額を広告主端末１０に通知する。
【００６８】
また、算定部１３７は、配信実績として、広告画像に対応する記事コンテンツが表示された表示回数、広告画像に対応する記事コンテンツがユーザに見られた回数であるリーチ数、または、広告画像がクリックされたクリック率に基づいて、課金額を算定してもよい。
【００６９】
また、算定部１３７は、広告画像が表示された表示サイズに応じた課金額を算定してもよい。例えば、算定部１３７は、広告画像が上述した大サイズの広告領域に表示された場合には、大サイズの広告領域に表示された回数に基づく所定の金額を上記のように算出した課金額にさらに上乗せしてもよい（例えば、大サイズの広告領域に１回表示される度に１００円加算）。
【００７０】
〔３．配信処理フロー〕
次に、図６を用いて、第１の実施形態にかかる配信システム１による広告配信処理の手順について説明する。図６は、第１の実施形態にかかる配信システム１による配信処理手順を示すフローチャートである。
【００７１】
図６に示すように、配信装置１００の受付部１３４は、ユーザ端末３０からコンテンツリクエストを受け付けたか否かを判定する（ステップＳ１０１）。受付部１３４は、コンテンツリクエストを受け付けていないと判定した場合には（ステップＳ１０１；Ｎｏ）、受け付けるまで待機する。一方、受付部１３４は、コンテンツリクエストを受け付けたと判定した場合には（ステップＳ１０１；Ｙｅｓ）、決定部１３５へ処理を移行する。
【００７２】
決定部１３５は、受付部１３４によってコンテンツリクエストが受け付けられた場合に、リンク元として広告画像が表示される記事コンテンツを決定する（ステップＳ１０２）。例えば、決定部１３４は、広告画像が表示されるフォーマットにおいて、広告画像が表示される数に応じた記事コンテンツであって、リンク元として広告画像が表示される記事コンテンツを、記事コンテンツが入稿された新着順や、ページリクエスト送信元のユーザのユーザ属性に基づいて決定する。
【００７３】
配信部１３６は、決定部１３５によって決定された記事コンテンツに対応する広告コンテンツ、すなわち、決定部１３５によって決定された記事コンテンツを制作した製作者によって選択された広告画像を広告情報記憶部１２１から取得する（ステップＳ１０３）。
そして、配信部１３６は、取得した広告画像に対し、かかる広告画像に対応する記事コンテンツへのリンクを生成する（ステップＳ１０４）。そして、配信部１３６は、取得した各広告画像と、取得した各広告画像に対して生成したリンクとを対応付けてユーザ端末３０に配信する（ステップＳ１０５）。なお、配信部１３６が、取得した各広告画像をどの広告領域に表示させるかを決定する上記レイアウト処理を行う場合には、配信部１３６は、レイアウト処理により決定した情報も各広告画像に対応付けて、ユーザ端末３０に配信する。また、レイアウト処理は、ステップＳ１０３〜Ｓ１０５のいずれで行われてもよい。
【００７４】
また、受付部１３４は、ユーザ端末３０からリンク先の記事コンテンツへ遷移するための遷移リクエスト（例えば、ユーザによる所定の広告コンテンツの押下）を受け付けたか否かを判定する（ステップＳ１０６）。受付部１３４は、リクエストを受け付けていないと判定した場合には（ステップＳ１０６；Ｎｏ）、受け付けるまで待機する。一方、受付部１３４は、リクエストを受け付けたと判定した場合には（ステップＳ１０６；Ｙｅｓ）、配信部１３６へ処理を移行する。
【００７５】
配信部１３６は、受付部１３４によって遷移リクエスト（ページリクエスト）が受け付けられると、受け付けられた遷移リクエストに含まれるリンクに基づいて、リンク先の記事コンテンツを特定し、特定した記事コンテンツを記事情報記憶部１２２から取得する（ステップＳ１０７）。そして、配信部１３６は、取得した記事コンテンツが表示されるようにユーザ端末３０に配信する（ステップＳ１０８）。
【００７６】
〔４．変形例〕
上記第１の実施形態にかかる配信装置１００は、上記第１の実施形態以外にも種々の異なる形態にて実施されてよい。そこで、以下では、配信装置１００の他の実施形態について説明する。
【００７７】
〔４−１．広告主による条件指定〕
上述してきた第１の実施形態にかかる配信装置１００の広告受付部１３１は、広告主から広告画像を受け付ける例を示した。しかし、広告受付部１３１は、広告主から、広告主によって入稿された広告画像のリンク先となる記事コンテンツに関する所定の条件の指定をさらに受け付けてもよい。そして、これにより記事受付部１３３は、所定の条件を満たす記事コンテンツを制作した製作者から、所定の条件を指定した広告主によって入稿された広告画像の選択を受け付ける。この点について、以下で説明する。
【００７８】
広告受付部１３１は、広告主から、記事コンテンツに関する所定の条件の指定として、例えば、製作者の指定を受け付ける。この場合、広告受付部１３１は、例えば、記事情報記憶部１２２を参照し、これまで記事コンテンツを入稿した製作者に関する情報として製作者名や製作者の業種カテゴリ等を、広告主が広告画像を入稿する際に開示する。ここで、広告主Ｃ１１は、広告画像を入稿する際に、開示されている製作者一覧を閲覧し、製作者「ＡＡ社」を指定したとする。すなわち、広告主Ｃ１１は、入稿した広告画像「ＡＤ１１」が製作者「ＡＡ社」に使われてよい旨を指定したことになる。言い換えれば、製作者「ＡＡ社」は、広告主Ｃ１１によって指定された条件を満たしていることになる。
【００７９】
そして、広告受付部１３１は、製作者名の指定を受け付けると受け付けた製作者名を、指定元の広告主の広告主ＩＤに対応付けて、広告情報記憶部１２１に格納する。上記の場合、広告受付部１３１は、製作者名「ＡＡ社」を広告主ＩＤ「Ｃ１１」に対応付けて、広告情報記憶部１２１に格納する。
【００８０】
ここで、製作者「ＡＡ社」が広告画像を選択するために、製作者端末２０を用いて、配信装置１００にアクセスしたとする。記事受付部１３３は、広告情報記憶部１２１に、広告主Ｃ１１による製作者「ＡＡ社」に対する指定が存在することから、製作者「ＡＡ社」に対して、広告主Ｃ１１によって入稿された広告画像のみを閲覧可能に公開する。このため、製作者「ＡＡ社」は、広告主Ｃ１１によって入稿された広告画像しか選択することができない。これにより、記事受付部１３３は、広告主Ｃ１１によって指定された条件を満たす製作者「ＡＡ社」から広告主Ｃ１１によって入稿された広告画像の選択を受け付ける。
【００８１】
なお、広告受付部１３１は、広告主から、記事コンテンツに関する所定の条件の指定として、記事コンテンツの内容に関する指定を受け付けてもよい。例えば、広告主Ｃ１１は、広告画像を入稿する際に、記事コンテンツの内容として「料理関係の記事」を指定したとする。なお、このような記事コンテンツの内容に関する指定は、広告主が自由に入力できてもよいし、広告受付部１３１が記事コンテンツの内容に関する特定のカテゴリ（例えば、料理、政治・経済等）を選択可能に、広告主に提示してもよい。
【００８２】
そして、広告受付部１３１は、記事コンテンツの内容に関する指定を受け付けると、受け付けた指定を、指定元の広告主ＩＤに対応付けて、広告情報記憶部１２１に格納する。上記の場合、広告受付部１３１は、「料理関係の記事」を広告主ＩＤ「Ｃ１１」に対応付けて、広告情報記憶部１２１に格納する。
【００８３】
ここで、製作者「ＡＡ社」が広告画像を選択するために、製作者端末２０を用いて、配信装置１００に記事コンテンツを入稿したとする。記事受付部１３３は、入稿された記事コンテンツのデータを解析することにより（例えば、メタ情報の解析）、記事コンテンツの内容を特定する。例えば、記事受付部１３３は、製作者「ＡＡ社」によって入稿された記事コンテンツが「料理関係の記事」であることを特定したとする。
【００８４】
記事受付部１３３は、広告情報記憶部１２１において、広告主Ｃ１１による「料理関係の記事」指定が存在することから、製作者「ＡＡ社」は、広告主Ｃ１１によって指定された条件を満たしていると判定する。これにより、記事受付部１３３は、広告主Ｃ１１によって指定された条件を満たす製作者「ＡＡ社」から広告主Ｃ１１によって入稿された広告画像の選択を受け付ける。
【００８５】
なお、記事受付部１３３は、製作者から入稿された記事コンテンツのデータを解析することで、内容を特定する例を示したが、記事受付部１３３は、製作者から記事コンテンツの入稿とともに、入稿される記事コンテンツがどのような内容のものであるかの入力を受け付けてもよい。
【００８６】
このように、配信装置１００は、広告主から記事コンテンツに対する所定の条件の指定を受け付け、受け付けた条件を満たす記事コンテンツを製作した製作者から、所定の条件を指定した広告主によって入稿された広告画像の選択を受け付ける。これにより、配信装置１００は、広告主が望まない製作者に広告画像が使用されることや、広告主が望まない記事コンテンツのリンク元として広告画像が使用されることを防ぐことができる。
【００８７】
〔４−２．入札価格を考慮した広告画像公開〕
また、記事受付部１３３は、製作者に広告画像を選択させるために、広告情報記憶部１２１に格納されている広告画像を閲覧可能に公開する際に、各広告画像の入札価格に基づいて、広告画像を公開してもよい。例えば、記事受付部１３３は、製作者端末２０において、広告情報記憶部１２１に格納されている各広告画像が各広告画像の入札価格が高い順に上から下へと表示されるように公開する。
【００８８】
このように表示された場合、広告画像は上に表示されるほど製作者に露出される機会が多くなり、より選択されやすくなることが考えられる。このため、広告主は入札価格を高めることで、自身の広告画像を選択されやすくしようとする。これにより、配信装置１００は、広告主間での入札価格の競争を活発化することができ、入札価格の競争を活発化することで全体的な入札価格が高まり、広告収益を高めることができる。
【００８９】
（第２の実施形態）
〔１．配信装置の構成〕
第１の実施形態では、製作者によって広告画像が選択される例を示した。しかし、製作者が広告画像を選択するのではなく、広告画像が自動で選択されてもよい。具体的には、選択部２３４は、広告受付部１３１によって受け付けられた広告画像のうち、各製作者によって制作された記事コンテンツに応じた広告画像を選択する。そして、配信装置２００が、このような選択部２３４を有するものとする。なお、配信装置２００のうち、配信装置１００と同一部位については説明を省略する。
【００９０】
ここで、図７を用いて、第２の実施形態にかかる配信装置２００の構成について説明する。図７は、第２の実施形態にかかる配信装置２００の構成例を示す図である。図７に示すように、配信装置２００は、通信部１１０と、記憶部１２０と、制御部２３０とを有する。
【００９１】
記憶部１２０は、例えば、ＲＡＭ、フラッシュメモリ等の半導体メモリ素子、または、ハードディスク、光ディスク等の記憶装置によって実現される。記憶部１２０は、広告情報記憶部１２１と、記事情報記憶部１２２とを有する。
【００９２】
第２の実施形態においても、各記憶部に記憶されている情報は、第１の実施形態と同様である。しかし、記事情報記憶部１２２において、「広告ＩＤ」は、後述する選択部２３４によって選択された広告画像の広告ＩＤである。
【００９３】
制御部２３０は、例えば、ＣＰＵやＭＰＵ等によって、配信装置２００内部の記憶装置に記憶されている各種プログラムがＲＡＭを作業領域として実行されることにより実現される。例えば、この各種プログラムは、ウェブブラウザと呼ばれるアプリケーションプログラムに該当する。また、制御部２３０は、例えば、ＡＳＩＣやＦＰＧＡ等の集積回路により実現される。
【００９４】
図７に示すように、制御部２３０は、広告受付部１３１と、審査部１３２と、記事受付部１３３と、選択部２３４と、受付部１３４と、決定部１３５と、配信部１３６と、算定部１３７とを有し、以下に説明する情報処理の機能や作用を実現または実行する。なお、制御部２３０の内部構成は、図７に示した構成に限られず、後述する情報処理を行う構成であれば他の構成であってもよい。また、制御部２３０が有する各処理部の接続関係は、図７に示した接続関係に限られず、他の接続関係であってもよい。以下では、選択部２３４の処理について説明する。
【００９５】
選択部２３４は、上記のように、広告受付部１３１によって受け付けられた広告画像のうち、各製作者によって制作された記事コンテンツに応じた広告画像を選択する。
【００９６】
具体的には、選択部２３４は、記事受付部１３３によって製作者から記事コンテンツの入稿が受け付けられると、入稿された記事コンテンツに応じた広告画像を広告情報記憶部１２１から選択する。そして、選択部２３４は、選択した広告画像に対応する広告ＩＤを、入稿された記事コンテンツの記事ＩＤに対応付けて、記事情報記憶部１２２に格納する。
【００９７】
次に、選択部２３４による入稿された記事コンテンツに応じた広告画像の選択処理の一例を示す。例えば、選択部２３４は、入稿された記事コンテンツ、すなわち、入稿された記事コンテンツのデータ（ＨＴＭＬソース）に対して言語解析を行うことにより、記事コンテンツに含まれる特徴語を抽出する。また、選択部２３４は、広告情報記憶部１２１から広告画像を取得する。そして、選択部２３４は、抽出した特徴語と取得した広告画像に含まれるメタ情報とのマッチングを行うことにより、入稿された記事コンテンツに応じた広告画像を選択する。
【００９８】
この点について、図３および図４を用いて説明する。例えば、記事コンテンツＮＷ１１が入稿されたとする。これに応じて、選択部２３４は、記事コンテンツＮＷ１１に対応する記事データ「Ｐ１１．ｈｔｍｌ」に対して言語解析を行うことにより、記事データ「Ｐ１１．ｈｔｍｌ」に含まれる特徴語を抽出する。また、選択部２３４は、広告情報記憶部１２１から１つ広告データを抽出する。例えば、選択部２３４は、広告画像ＡＤ１１の広告データ「Ｇ１１．ｇｉｆ」を抽出したとする。そして、選択部２３４は、抽出した特徴語と広告データ「Ｇ１１．ｇｉｆ」に含まれるメタ情報とのマッチングを行う。このとき、選択部２３４は、例えば、抽出した特徴語のうち所定の割合以上の特徴語がメタ情報と一致した場合に、広告画像ＡＤ１１は記事コンテンツＮＷ１１に対応する画像であると判定する。すなわち、選択部２３４は、広告画像ＡＤ１１は記事コンテンツＮＷ１１の内容にふさわしい画像であると判定し、広告情報記憶部１２１に格納されている広告画像から広告画像ＡＤ１１を選択する。
【００９９】
そして、選択部２３４は、選択した広告画像ＡＤ１１の広告ＩＤ「ＡＤ１１」を、記事コンテンツＮＷ１１の記事ＩＤ「ＮＷ１１」に対応付けて、記事情報記憶部１２２に格納する。また、選択部２３４は、広告情報記憶部１２１から次の広告データを１つ抽出し、同様に、記事コンテンツＮＷ１１とのマッチングを行ってゆく。このように、選択部２３４は、記事受付部１３３によって記事コンテンツの入稿が受け付けられる度に、入稿された記事コンテンツと、広告情報記憶部１２１に格納されている全ての広告画像とのマッチングを行う。
【０１００】
図７に戻り、第２の実施形態において配信部１３６は、決定部１３５によって決定された記事コンテンツに対して選択部２３４によって選択されている広告画像を配信する。なお、以下の実施形態では、製作者によって製作された記事コンテンツと、かかる記事コンテンツに対して選択部２３４によって選択された広告画像とを「対応する」と表記する場合がある。そして、このような記事コンテンツと広告画像とは互いにリンク先とリンク元の関係にある。
【０１０１】
〔２．変形例〕
上記第２の実施形態にかかる配信装置２００は、上記第２の実施形態以外にも種々の異なる形態にて実施されてよい。そこで、以下では、配信装置２００の他の実施形態について説明する。
【０１０２】
〔２−１．広告主による条件指定〕
第１の実施形態で説明したように、広告受付部１３１は、広告主から広告主によって入稿された広告画像のリンク先となる記事コンテンツに関する所定の条件の指定をさらに受け付けてもよい。そして、これにより選択部２３４は、所定の条件を満たす記事コンテンツに応じた広告画像を、所定の条件を指定した広告主によって入稿された広告画像から選択する。この点について、以下で説明する。なお、この場合の広告受付部１３１の処理は、第１の実施形態にかかる変形例４−１で説明した通りである。
【０１０３】
例えば、広告受付部１３１は、所定の条件として、製作者名の指定を受け付け、受け付けた製作者名を、指定元の広告主ＩＤに対応付けて、広告情報記憶部１２１に格納しているものとする。
【０１０４】
選択部２３４は、記事受付部１３３によって記事コンテンツの入稿が受け付けられると、広告情報記憶部１２１を参照し、記事コンテンツ入稿元の製作者が指定されている場合には、かかる入稿元の製作者が条件を満たしていると判断する。そして、選択部２３４は、かかる入稿元の製作者によって入稿された記事コンテンツに応じた広告画像を、指定元の広告主によって入稿された広告画像から選択する。この場合、選択部２３４による選択処理は、上述した特徴語とメタ情報とのマッチングであってよい。
【０１０５】
また、広告受付部１３１によって、記事コンテンツに関する所定の条件の指定として、記事コンテンツの内容に関する指定が広告主から受け付けられてもよい。例えば、選択部２３４は、記事受付部１３３によって記事コンテンツの入稿が受け付けられると、入稿された記事コンテンツの内容を特定する。例えば、選択部２３４は、入稿された記事コンテンツのデータを解析することにより、記事コンテンツの内容を特定する。そして、選択部２３４は、広告情報記憶部１２１を参照し、入稿された記事コンテンツの内容が指定されている場合には、かかる記事コンテンツ入稿元の製作者が条件を満たしていると判断する。そして、選択部２３４は、かかる入稿元の製作者によって入稿された記事コンテンツに応じた広告画像を、入稿された記事コンテンツの内容を指定している指定元の広告主によって入稿された広告画像から選択する。
【０１０６】
このように、配信装置２００は、広告主から記事コンテンツに対する所定の条件の指定を受け付け、所定の条件を満たす記事コンテンツに応じた広告画像を、所定の条件を指定した広告主によって入稿された広告画像から選択する。これにより、配信装置２００は、広告主が望まない製作者や記事コンテンツに、かかる広告主の広告画像が使用されることを防ぐことができる。
【０１０７】
（他の実施形態）
上記第１の実施形態にかかる配信装置１００および第２の実施形態にかかる配信装置２００は、上記以外にも種々の異なる形態にて実施されてよい。そこで、以下では、配信装置１００および配信装置２００に共通する他の実施形態について説明する。
【０１０８】
〔１．広告主への確認〕
記事受付部１３３は、製作者または選択部２３４に選択された広告画像を入稿した広告主に、対応する製作者に関する情報として、製作者名や記事コンテンツを提示し、提示した製作者名や記事コンテンツを確認させる。そして、記事受付部１３３は、提示した製作者に広告画像が使われることや、広告画像が提示した記事コンテンツのリンク元となることが広告主によって許可された場合に、かかる広告画像を配信対象の候補とする。
【０１０９】
例えば、図４の例では、広告ＩＤ「ＡＤ１２」によって識別される広告画像ＡＤ１２は、製作者Ａ１１または選択部２３４によって選択されたことを示す。ここで、記事受付部１３３は、広告情報記憶部１２１を参照し、広告画像ＡＤ１２を入稿した広告主Ｃ１２に対し、製作者名「ＡＡ社」および記事データ「Ｐ１１．ｈｔｍｌ」を提示する。そして、記事受付部１３３は、製作者名「ＡＡ社」に広告画像ＡＤ１２が使われることや、広告画像ＡＤ１２が記事データ「Ｐ１１．ｈｔｍｌ」（記事コンテンツＮＷ１２）のリンク元となることが広告主Ｃ１２許可された場合に、広告画像ＡＤ１２を配信対象の候補とする。
【０１１０】
これにより、配信装置１００および２００は、広告主が望まない製作者に広告画像が使用されることや、広告主が望まない記事コンテンツのリンク元として広告画像が使用されることを防ぐことができる。
【０１１１】
〔２．広告画像に見出し表示（１）〕
配信部１３６は、決定部１３５によって決定された記事コンテンツに対応する広告画像を配信する例を示した。しかし、配信部１３６は、決定部１３５によって決定された記事コンテンツに対応する広告画像に、かかる記事コンテンツの見出しを表示させてもよい。この点について、図８を用いて説明する。
【０１１２】
図８は、第１および第２の実施形態にかかる変形例における広告画像の表示の一例を示す図である。まず、ユーザ端末３０からのウェブページＷ１のページリクエストに応じて、決定部１３５によって、５つの記事コンテンツ「ＮＷ１１」、「ＮＷ１２」、「ＮＷ１４」、「ＮＷ１８」、「ＮＷ２０」が、広告画像が表示される記事コンテンツとして決定されたとする。
【０１１３】
配信部１３６は、決定部１３６から広告画像が表示される記事コンテンツが決定された旨の通知を受けると、記事情報記憶部１２２を参照し、決定部１３５によって決定された記事コンテンツ「ＮＷ１１」、「ＮＷ１２」、「ＮＷ１４」、「ＮＷ１８」、「ＮＷ２０」それぞれに対応する広告画像の広告ＩＤ「ＡＤ１２」、「ＡＤ２０」、「ＡＤ１８」、「ＡＤ１３」、「ＡＤ１９」を特定する。
【０１１４】
また、このとき配信部１３６は、決定部１３５によって決定された記事コンテンツ「ＮＷ１１」、「ＮＷ１２」、「ＮＷ１４」、「ＮＷ１８」、「ＮＷ２０」それぞれに対応する記事データ「Ｐ１１．ｈｔｍｌ」、「Ｐ１２．ｈｔｍｌ」、「Ｐ１４．ｈｔｍｌ」、「Ｐ１８．ｈｔｍｌ」、「Ｐ２０．ｈｔｍｌ」それぞれから見出しとなる文章として、例えば、タイトルを抽出する。
【０１１５】
また、配信部１３６は、広告情報記憶部１２１を参照し、特定した広告ＩＤに対応する広告画像「Ｇ１２．ｇｉｆ」（ＡＤ１２）、「Ｇ２０．ｇｉｆ」（ＡＤ２０）、「Ｇ１８．ｇｉｆ」（ＡＤ１８）、「Ｇ１３．ｇｉｆ」（ＡＤ１３）、「Ｇ１９．ｇｉｆ」（ＡＤ１９）を取得する。そして、配信部１３６は、取得した各広告画像に対し、各広告画像に対応する記事コンテンツへのリンク（例えば、ＵＲＬ）を生成する。
【０１１６】
そして、配信部１３６は、広告画像ＡＤ１２に記事データ「Ｐ１１．ｈｔｍｌ」から取得した見出し、広告画像ＡＤ２０に記事データ「Ｐ１２．ｈｔｍｌ」から取得した見出し、広告画像ＡＤ１８に記事データ「Ｐ１４．ｈｔｍｌ」から取得した見出し、広告画像ＡＤ１３に記事データ「Ｐ１８．ｈｔｍｌ」から取得した見出し、広告画像ＡＤ１９に記事データ「Ｐ２０．ｈｔｍｌ」から取得した見出しをそれぞれ対応付ける。また、配信部１３６は、各広告画像と、各広告画像に対して生成したリンクを対応付ける。そして、配信部１３６は、見出しとリンクとを対応付けた広告画像をユーザ端末３０に配信する。
【０１１７】
そして、図８に示すように、配信部１３６によって取得された広告画像ＡＤ１２、ＡＤ１３、ＡＤ１８、ＡＤ１９およびＡＤ２０それぞれに対応する記事コンテンツの見出しが表示される。例えば、広告画像ＡＤ１２に、記事データ「Ｐ１１．ｈｔｍｌ」から取得した見出し「１００均で作るおしゃれ収納」といった見出しが表示される。なお、配信部１３６によって、広告画像のデータから見出しが抽出される例を示したが、例えば、広告主によって広告画像とともに、見出しのテキストデータが入稿されてもよい。
【０１１８】
このように、配信装置１００および２００は、広告画像とともに、広告画像に対応する記事コンテンツの見出しを表示する。これにより、配信装置１００および２００は、ユーザに対して記事コンテンツへの興味を高めることができるので、ユーザを記事コンテンツへ誘導することができる。また、配信装置１００および２００は、広告画像にユーザをより注視させることができるため、広告効果を高めることができる。
【０１１９】
〔３．広告画像に見出し表示（２）〕
「２．広告画像に見出し表示（１）」において、配信部１３６によって、リンク元である広告画像に対し、かかる広告画像に対応する記事コンテンツの見出しが表示される処理について説明した。ここで、配信部１３６は、広告画像の所定箇所に重ならないように見出しを表示させてもよい。例えば、配信部１３６は、広告画像のロゴマークに見出しが重ならないように、見出しを表示させる。この点について、図８を用いて説明する。
【０１２０】
例えば、配信部１３６は、取得した広告画像を解析することにより、取得した広告画像のロゴマークの位置を特定する。例えば、配信装置１００および２００によって、予め広告主からロゴマークに関するデータが受け付けられておくことにより、配信部１３６は、取得した広告画像と、取得した広告画像に対応するロゴマークとのマッチングを行うことにより、ロゴマークの位置を特定してもよい。また、配信装置１００および２００によって、予め広告主からロゴマークの位置情報（座標）が受け付けられておくことにより、配信部１３６は、取得した広告画像におけるロゴマークの位置を特定してもよい。
【０１２１】
図８の例では、配信部１３６は、取得した広告画像のうち、広告画像ＡＤ２０の所定の位置にロゴマークＬ１が存在することを特定したとする。これにより、配信装置１３６は、広告画像ＡＤ２０に対応する記事コンテンツの見出し「知られざるコーヒーの効果とは？」を、ロゴマークＬ１に重ならないようにして、広告画像ＡＤ２０と見出し「知られざるコーヒーの効果とは？」とをユーザ端末３０に配信する。
【０１２２】
このように、配信装置１００および２００は、広告画像の所定箇所に重ならないように見出しを表示させる。例えば、ユーザは、広告画像の提供元（広告主）を知りたい場合、広告画像に含まれるロゴマークから広告主を特定する場合がある。このとき、ロゴマークが見出しによって隠れていると、ユーザは、広告主を特定し難くなってしまう。配信装置１００および２００は、このような状況を回避することができる。
【０１２３】
〔４．遷移先ページに広告表示〕
配信部１３６は、表示された広告画像が押下された場合に、押下された広告画像に張られているリンクに基づいて、リンク先の記事コンテンツを取得し、取得した記事コンテンツを配信する例を示した。このとき、配信部１３６は、取得した記事コンテンツであって、押下された広告画像に関連する広告コンテンツが表示されるような記事コンテンツを配信してもよい。この点について、図８を用いて説明する。
【０１２４】
記事コンテンツとしてのウェブページには、予め広告枠Ｆ１が設けられているものとする。また、広告受付部１３１によって、広告画像とともに、広告枠Ｆ１に表示される広告コンテンツ（バナー広告とする）の入稿が受け付けられ、広告情報記憶部１２１において、広告ＩＤに対応付けて、広告画像とバナー広告用のデータが格納されているものとする。なお、ディスプレイ広告は、画像や動画であってよい。
【０１２５】
例えば、図８に示す広告画像のうち、広告画像ＡＤ２０が押下されたとする。これに応じて、ユーザ端末３０は、広告画像ＡＤ２０に対して張られているリンクを含むページリクエストを配信装置１００に送信する。配信装置１００の受付部１３４によって、ページリクエストが受け付けられると、配信部１３６は、受け付けられたページリクエストに含まれるリンクに基づいて、リンク先が記事コンテンツＮＷ１２であることを特定する。
【０１２６】
そして、配信部１３６は、特定した記事コンテンツＮＷ１２に対応付けられている記事データ「Ｐ１２．ｈｔｍｌ」を記事情報記憶部１２２から取得する。そして、配信部１３６は、取得した記事データ「Ｐ１２．ｈｔｍｌ」をユーザ端末３０に配信する。
【０１２７】
ユーザ端末３０は、記事データ「Ｐ１２．ｈｔｍｌ」に広告枠Ｆ１が含まれることから、広告枠Ｆ１に表示される広告コンテンツの要求である広告リクエストを配信装置１００に送信する。配信部１３６は、受付部１３４によって広告リクエストが受け付けられると、押下された広告画像ＡＤ２０とともに入稿されたバナー広告用データを広告情報記憶部１２１から取得する。
【０１２８】
そして、配信部１３６は、取得したバナー広告用データをユーザ端末３０に配信する。そして、ユーザ端末３０は、広告枠Ｆ１に配信部１３６から受け付けたデータを表示したウェブページＰ１２を表示する。なお、配信部１３６は、かかる広告コンテンツ（バナー広告）が押下された場合に所定の詳細ページへ遷移するためのリンクを広告コンテンツに張ってよい。
【０１２９】
このように、配信装置１００および２００は、広告画像のリンク先である記事コンテンツに、かかる広告画像と関係のある広告コンテンツを表示する。これにより、配信装置１００および２００は、広告コンテンツに対する広告効果を高めることができる。
【０１３０】
なお、図８に示したように、配信部１３６は、ロゴマークの含まれる広告画像ＡＤ２０に対応する記事コンテンツＮＷ１２に対して、広告画像ＡＤ２０と関連する広告コンテンツであるバナー広告を表示する点について説明したが、配信部１３６は、ロゴマークが含まれない広告画像に対応する記事コンテンツに対して、このようなバナー広告を表示させる処理を行ってもよい。
【０１３１】
例えば、配信部１３６は、広告リクエストが受け付けられた場合に、広告リクエストにかかる記事コンテンツ（広告枠Ｆ１を含む記事コンテンツ）に対応する広告画像にロゴマークが含まれるか否かを判定する。例えば、配信部１３６は、「３．広告画像に見出し表示（２）」で示したような、広告画像とロゴマークに関するデータとのマッチング処理等により、ロゴマークが含まれるか否かを判定する。そして、配信部１３６は、ロゴマークが含まれないと判定した場合に、かかる広告画像に関連するバナー広告を広告枠Ｆ１に表示させる。このようにすることで、配信装置１００および２００は、広告画像にロゴマーク等がない等により、広告画像だけでは広告主や広告の内容が把握しにくい場合に、バナー広告を利用して、広告画像の内容等を補足することができる。
【０１３２】
〔５．配信処理（１）〕
配信部１３６は、リンク元として広告画像が表示される記事コンテンツが複数である場合、各記事コンテンツに対応する広告画像が重複しないように、複数の記事コンテンツを選択し、選択した記事コンテンツに対応する広告画像を配信する。この点について、図４を用いて説明する。
【０１３３】
まず、ユーザ端末３０からのコンテンツリクエストに応じて、決定部１３５によって、５つの記事コンテンツ「ＮＷ１１」、「ＮＷ１２」、「ＮＷ１３」、「ＮＷ１４」、「ＮＷ１５」が、リンク元として広告画像が表示される記事コンテンツとして決定されたとする。
【０１３４】
配信部１３６は、決定部１３５から広告画像が表示される記事コンテンツが決定された旨の通知を受けると、記事情報記憶部１２２を参照し、決定部１３５によって決定された記事コンテンツ「ＮＷ１１」、「ＮＷ１２」、「ＮＷ１３」、「ＮＷ１４」、「ＮＷ１５」それぞれに対応する広告画像の広告ＩＤ「ＡＤ１２」、「ＡＤ２０」、「ＡＤ１５」、「ＡＤ１８」、「ＡＤ２０」を特定する。
【０１３５】
このとき、配信部１３６は、特定した広告ＩＤに重複があるか否かを判定する。かかる例の場合、配信部１３６は、広告ＩＤ「ＡＤ２０」が重複していると判定する。配信部１３６によって、このまま広告画像が配信されると、広告画像が重複して表示されることになる。したがって、配信部１３６は、広告画像が重複しないように、複数の記事コンテンツを選択する。
【０１３６】
例えば、配信部１３６は、広告ＩＤが重複している記事コンテンツＮＷ１２およびＮＷ１５のうち、いずれか一方を除外して、除外した代わりの記事コンテンツとして、広告ＩＤ「ＡＤ１２」、「ＡＤ１５」、「ＡＤ１８」、「ＡＤ２０」が対応付けられていない記事コンテンツを記事情報記憶部１２２から選択する。これにより、配信部１３６は、各記事コンテンツに対応する広告画像が重複しないようにする。ここでは、配信部１３６は、記事コンテンツＮＷ１５を除外し、代わりに記事コンテンツＮＷ１８を選択したものとする。
【０１３７】
また、配信部１３６は、広告画像の重複が無い記事コンテンツ「ＮＷ１１」、「ＮＷ１３」、「ＮＷ１４」については、このまま選択するものとする。したがって、配信部１３６は、リンク元として広告画像が表示される記事コンテンツとして、「ＮＷ１１」、「ＮＷ１２」、「ＮＷ１３」、「ＮＷ１４」、「ＮＷ１８」を選択したことになる。
【０１３８】
配信部１３６は、選択した記事コンテンツに対応する広告画像を広告情報記憶部１２１から取得し、取得した広告画像にリンクを対応付けて、ユーザ端末３０に配信する。
【０１３９】
なお、配信部１３６は、広告ＩＤが重複している記事コンテンツのうち、いずれを除外するかをランダムで決定してもよい。
【０１４０】
また、配信部１３６は、除外した記事コンテンツの代わりとなる記事コンテンツをコンテンツリクエスト送信元ユーザのユーザ属性に基づいて選択してもよいし、各記事コンテンツに対応付られている広告画像のうち、入稿時期がより新しい広告画像をリンク元とする記事コンテンツを選択してもよい。
【０１４１】
このように、配信装置１００および２００は、複数の記事コンテンツに対応する広告画像が重複しないように、複数の記事コンテンツを選択する。これにより、配信装置１００および２００は、１のユーザ端末３０に対し、一度に同一の広告画像が複数表示されることを防ぐことができる。仮に、同一の広告画像が複数表示されたとすれば、その広告画像は、他の広告画像よりユーザの目につき易くなるため広告効果が高くなる。配信装置１００および２００は、このように一部の広告画像が有利となることを防ぐことができる。
【０１４２】
〔６．配信処理（２）〕
また、配信部１３６は、リンク元として広告コンテンツが配信される記事コンテンツが複数存在し、かつ、記事コンテンツに対して複数の広告コンテンツが選択されている場合に、各記事コンテンツに対応する広告画像が重複しないように、複数の広告画像から所定の広告画像を選択し、選択した広告画像を配信する。この点について、図９を用いて説明する。
【０１４３】
図９は、第１および第２の実施形態にかかる変形例における記事情報記憶部１２２の一例を示す図である。図９に示すように、記事コンテンツ「ＮＷ１１」、「ＮＷ１２」、「ＮＷ１４」、「ＮＷ１８」、「ＮＷ２０」には、複数の広告ＩＤが対応付けられている。すなわち、各製作者によって複数の広告画像が選択されている、または、選択部２３４によって、記事コンテンツに応じた複数の広告画像が選択されている。上述してきた各実施形態では、１つの記事コンテンツにつき１つの広告画像が選択される例を示したが、このように、１つの記事コンテンツにつき複数の広告画像が選択されてもよい。かかる変形例では、１つの記事コンテンツにつき複数の広告画像が選択されていることを前提とする。
【０１４４】
ここで、ユーザ端末３０からのコンテンツリクエストに応じて、決定部１３５によって、５つの記事コンテンツ「ＮＷ１１」、「ＮＷ１２」、「ＮＷ１４」、「ＮＷ１５」、「ＮＷ１８」が、リンク元として広告画像が表示される記事コンテンツとして決定されたとする。
【０１４５】
そして、配信部１３６は、記事情報記憶部１２２を参照し、決定された複数の記事コンテンツに対応する広告ＩＤが重複しないように、複数の広告ＩＤから所定の広告ＩＤを選択する。例えば、配信部１３６は、記事コンテンツ「ＮＷ１１」に対応する広告ＩＤのうち、広告ＩＤ「ＡＤ１５」を選択する。また、配信部１３６は、記事コンテンツ「ＮＷ１２」に対応する広告ＩＤのうち、広告ＩＤ「ＡＤ１２」を選択する。また、配信部１３６は、記事コンテンツ「ＮＷ１４」に対応する広告ＩＤのうち、広告ＩＤ「ＡＤ１９」を選択する。また、配信部１３６は、記事コンテンツ「ＮＷ１５」については、１つだけ対応付けられている広告ＩＤ「ＡＤ２０」を選択する。また、配信部１３６は、記事コンテンツ「ＮＷ１８」に対応する広告ＩＤのうち、広告ＩＤ「ＡＤ１３」を選択する。
【０１４６】
そして、配信部１３６は、選択した広告ＩＤに対応する広告画像を広告情報記憶部１２１から取得し、取得した広告画像にリンクを対応付けて、ユーザ端末３０に配信する。
【０１４７】
このように、配信装置１００および２００は、複数の記事コンテンツに対応する広告画像が重複しないように、複数の広告画像から所定の広告画像を選択する。これにより、配信装置１００および２００は、１のユーザ端末３０に対し、一度に同一の広告画像が複数表示されることを防ぐことができるため、複数表示された広告画像の広告効果が他の広告画像より高くなることを防ぐことができる。
【０１４８】
〔７．配信処理（３）〕
また、配信部１３６は、記事コンテンツ対して複数の広告画像が選択されている場合に、複数の広告画像の入札価格に基づいて、当該記事コンテンツのリンク元となる広告画像を決定する。この点について、図９を用いて説明する。
【０１４９】
例えば、ユーザ端末３０からのコンテンツリクエストに応じて、決定部１３５によって、５つの記事コンテンツ「ＮＷ１１」、「ＮＷ１２」、「ＮＷ１４」、「ＮＷ１５」、「ＮＷ１８」が、リンク元として広告画像が表示される記事コンテンツとして決定されたとする。記事コンテンツ「ＮＷ１１」、「ＮＷ１２」、「ＮＷ１４」、「ＮＷ１８」それぞれには、複数の広告ＩＤが対応付けられている。つまり、これら各記事コンテンツ対して複数の広告画像が選択されている。
【０１５０】
そして、配信部１３６は、広告情報記憶部１２１を参照し、記事コンテンツＮＷ１１に対応付けられている広告画像ＡＤ１２、１５、１６のうち、入札価格が最も高い広告画像を、記事コンテンツＮＷ１１のリンク元として決定する。図３の例では、配信部１３６は、入札価格「１０５円」の広告画像ＡＤ１５をリンク元として決定する。同様にして、配信部１３６は、記事コンテンツＮＷ１２に対応付けられている広告画像ＡＤ１２、１３、２０のうち、入札価格が最も高い広告画像ＡＤ１３をリンク元として決定する。また、配信部１３６は、記事コンテンツＮＷ１４に対応付けられている広告画像ＡＤ１１、１９のうち、入札価格が最も高い広告画像ＡＤ１１をリンク元として決定する。また、配信部１３６は、記事コンテンツＮＷ１５については、１つだけ対応付けられている広告画像ＡＤ２０をリンク元として決定する。また、配信部１３６は、記事コンテンツＮＷ１８に対応付けられている広告画像ＡＤ１３、１５、２０のうち、入札価格が最も高い広告画像ＡＤ２０をリンク元として決定する。
【０１５１】
ここで、記事コンテンツＮＷ１５と記事コンテンツＮＷ１８において、広告ＩＤ「ＡＤ２０」が重複している。このような場合、配信部１３６は、「６．配信処理（２）」で示したように、５つの記事コンテンツに対応する広告画像が重複しないように、所定の広告画像を選択する。
【０１５２】
例えば、配信部１３６は、広告ＩＤが重複している記事コンテンツＮＷ１５およびＮＷ１８のうち、記事コンテンツＮＷ１５を除外して、残り４つの記事コンテンツ「ＮＷ１１」、「ＮＷ１２」、「ＮＷ１４」、「ＮＷ１８」それぞれに対応する広告ＩＤ「ＡＤ１５」、「ＡＤ１３」、「ＡＤ１１」、「ＡＤ２０」と重複しない広告ＩＤを記事情報記憶部１２２から選択する。
【０１５３】
または、配信部１３６は、記事コンテンツＮＷ１８に対応付けられている広告ＩＤ「ＡＤ１３」、「ＡＤ１５」、「ＡＤ２０」から、残りの４つの記事コンテンツ「ＮＷ１１」、「ＮＷ１２」、「ＮＷ１４」、「ＮＷ１５」それぞれに対応する広告ＩＤ「ＡＤ１５」、「ＡＤ１３」、「ＡＤ１１」、「ＡＤ２０」と重複しない広告ＩＤを選択してもよい。
【０１５４】
しかし、かかる例では、配信部１３６は、記事コンテンツＮＷ１８に対応付けられている広告ＩＤ「ＡＤ１３」、「ＡＤ１５」、「ＡＤ２０」のうち、いずれを選択したとしても、残り４つの記事コンテンツに対応する広告ＩＤと重複してしまう。このような場合、配信部１３６は、残り４つの記事コンテンツに対応する広告ＩＤのいずれとも重複しない広告ＩＤを記事情報記憶部１２２から選択する。
【０１５５】
そして、配信部１３６は、選択した広告ＩＤに対応する広告画像を広告情報記憶部１２１から取得し、取得した広告画像にリンクを対応付けて、ユーザ端末３０に配信する。
【０１５６】
このように、配信装置１００および２００は、入札価格に基づいて、記事コンテンツのリンク元となる広告画像を決定する。これにより、配信装置１００および２００は、１つの記事コンテンツに対し複数の広告画像が選択された場合であっても、入札価格に基づいて、公平にリンク元となる広告画像を決定することができる。また、配信装置１００および２００は、広告主間での入札価格競争を活発化することができるため、広告収益を高めることができる。
【０１５７】
〔８．配信処理（４）〕
また、配信部１３６は、記事コンテンツ対して複数の広告画像が選択されている場合に、配信先のユーザ端末を利用するユーザのユーザ属性に基づいて、記事コンテンツのリンク元となる広告画像を決定する。この点について、図９を用いて説明する。
【０１５８】
例えば、ユーザ端末３０からのコンテンツリクエストに応じて、決定部１３５によって、５つの記事コンテンツ「ＮＷ１１」、「ＮＷ１２」、「ＮＷ１４」、「ＮＷ１５」、「ＮＷ１８」が、リンク元として広告画像が表示される記事コンテンツとして決定されたとする。
【０１５９】
ここで、配信部１３６は、ページリクエスト送信元のユーザのユーザ属性を特定する。例えば、図示しないが、配信装置１００および２００は、ユーザ毎のユーザ属性を記憶したユーザ属性記憶部を有することで、配信部１３６は、ユーザ属性記憶部を参照し、ページリクエスト送信元のユーザのユーザ属性を特定する。例えば、配信部１３６は、ユーザ属性「女性」を特定したとする。
【０１６０】
次に、配信部１３６は、５つの記事コンテンツ「ＮＷ１１」、「ＮＷ１２」、「ＮＷ１４」、「ＮＷ１５」、「ＮＷ１８」それぞれに対応付けられている広告ＩＤに対応する広告画像を広告情報記憶部１２１から取得する。例えば、配信部１３６は、記事コンテンツ「ＮＷ１１」に対応付けられている広告ＩＤ「ＡＤ１２」、「ＡＤ１５」、「ＡＤ１６」に対応する広告画像（広告データ）「Ｇ１２．ｇｉｆ」、「Ｇ１５．ｇｉｆ」、「Ｇ１６．ｇｉｆ」を広告情報記憶部１２１から取得する。そして、配信部１３６は、取得した広告画像に含まれるメタ情報に基づいて、取得した広告画像がユーザ属性「女性」に対応するか否かを判定する。そして、配信部１３６は、対応すると判定した広告画像を、記事コンテンツＮＷ１１のリンク元として決定し、広告情報記憶部１２１から取得する。
【０１６１】
なお、配信部１３６は、ユーザ属性に対し、複数の広告画像が対応すると判定した場合には、そのうち入札価格の最も高いものを１つ取得してもよいし、ランダムでいずれか１つを取得してもよい。また、配信部１３６は、ユーザ属性に対応する広告画像が存在しない場合には、入札価格の最も高いものを１つ取得してもよいし、ランダムでいずれか１つを取得してもよい。
【０１６２】
配信部１３６は、このようにして記事コンテンツ「ＮＷ１１」に対応する広告画像を取得すると、同様の処理を記事コンテンツ「ＮＷ１２」、「ＮＷ１４」、「ＮＷ１５」、「ＮＷ１８」に対して順に行ってゆく。そして、配信部１３６は、取得した広告画像にリンクを対応付けて、ユーザ端末３０に配信する。
【０１６３】
なお、配信部１３６は、コンテンツリクエスト送信元ユーザのユーザ属性が複数存在する場合、複数のユーザ属性を用いて、記事コンテンツのリンク元となる広告画像を決定してもよい。例えば、配信部１３６は、ユーザ属性「女性」、「２０代」、「料理に興味あり」、「化粧品購入頻度高」、「バイク好き」を特定したとする。これにより、配信部１３６は、５つの記事コンテンツ「ＮＷ１１」、「ＮＷ１２」、「ＮＷ１４」、「ＮＷ１５」、「ＮＷ１８」それぞれに対応付けられている広告ＩＤに対応する広告画像から、以上のユーザ属性の少なくとも一つを満たす広告画像を、リンク元となる広告画像として決定する。
【０１６４】
また、配信部１３６は、決定した広告画像に重複が存在した場合には、〔６．配信処理（２）〕および〔７．配信処理（３）〕で説明した処理を適用してもよい。
【０１６５】
このように、配信装置１００および２００は、ユーザ属性に基づいて、各記事コンテンツのリンク元となる広告画像を決定する。これにより、配信装置１００および２００は、１つの記事コンテンツに対し複数の広告画像が選択された場合であっても、ユーザ属性に基づいて、公平にリンク元となる広告画像を決定することができる。また、配信装置１００および２００おける配信部１３６よって、ユーザ属性に基づいて、各記事コンテンツのリンク元となる広告画像を決定される例を示したが、このような処理は、ユーザ端末３０が、ユーザ端末３０内に実現されたアプリケーションプログラムに従い実行するものであってもよい。例えば、配信装置１００は、ユーザ端末３０に、受け付けた広告画像と記事コンテンツとを送信する。ユーザ端末３０は、アプリケーションプログラムに従い、広告画像と記事コンテンツとを受け付ける。そして、ユーザ端末３０は、リンク元として広告画像が表示される記事コンテンツを決定する。そして、ユーザ端末３０は、ユーザ属性に基づいて、各記事コンテンツのリンク元となる広告画像を決定し、決定した広告画像を対応する記事コンテンツのリンク元として表示する。
【０１６６】
〔９．記事コンテンツ決定処理〕
上述してきた各実施形態では、表示される広告画像は全て、対応する記事コンテンツのリンク元である例を示した。具体的には、コンテンツリクエストに応じて表示される５つの広告画像の全てが、各広告画像に対応する記事コンテンツのリンク元である例を示した。しかし、コンテンツリクエストに応じて表示される広告画像の一部が、記事コンテンツのリンク元である広告画像であってもよい。
【０１６７】
例えば、配信装置１００および２００に対して、記事コンテンツのリンク元となる広告画像を２つとすることが予め設定されているとする。この場合、決定部１３５は、リンク元として広告画像が表示される記事コンテンツを２つ決定する。そして、ユーザ端末３０に５つの広告画像が表示されるとすると、配信部１３６は、決定部１３５によって決定された２つの記事コンテンツに対応する広告画像を広告情報記憶部１２１から取得し、取得した広告画像に対応する記事コンテンツへのリンクを生成する。また、配信部１３６は、残り３つの広告情報も広告情報記憶部１２１から取得してよい。
【０１６８】
配信部１３６が３つの広告情報について、どのような広告情報を取得するかは任意であってよいが、例えば、配信部１３６は、コンテンツリクエスト送信元のユーザのユーザ属性に応じた広告画像を取得してもよいし、入札価格の高い順に取得してもよい。そして、配信部１３６は、この３つの広告画像に対しては、それぞれの詳細ページへのリンクを生成する。そして、配信部１３６は、各広告画像と生成したリンクとを対応付けて、ユーザ端末３０に配信する。
【０１６９】
〔１０．配信装置とユーザ端末〕
上述してきた各実施形態では、ユーザ端末３０が配信装置１００および２００から受け付けた広告画像を所定のフォーマットに基づいてレイアウトし、レイアウトしたものを表示する例を示した。しかし、配信装置１００および２００が、取得した広告画像が表示されるようなウェブページを生成し、生成したウェブペページをユーザ端末３０に配信してもよい。また、ユーザ端末３０に対し、配信装置１００および２００の機能を有するアプリケーションプログラム（端末プログラム）が実現されてもよい。例えば、配信部１３６は、広告受付部１３１によって受け付けられた広告画像と、記事受付部１３３によって受け付けられた記事コンテンツとをユーザ端末３０に送信する。そして、ユーザ端末３０は、かかるアプリケーションプログラムに従い、広告画像と記事コンテンツとを受け付ける。そして、ユーザ端末３０は、リンク元として広告画像が表示される記事コンテンツを決定し、決定した記事コンテンツに対応する広告画像を取得し、取得した広告画像に対して、対応する記事コンテンツのリンクを生成する。そして、ユーザ端末３０は、生成したリンクを張った広告画像を表示する。また、ユーザ端末３０は、上記各実施形態で示した決定部１３５や配信部１３６の処理を実行することにより、リンク先が記事コンテンツである広告コンテンツを生成し、生成した広告コンテンツを表示する。
【０１７０】
〔１１．プログラム〕
また、上述してきた第１の実施形態にかかる配信装置１００および第２の実施形態にかかる配信装置２００は、例えば図１０に示すような構成のコンピュータ１０００によって実現される。以下、配信装置１００を例に挙げて説明する。図１０は、配信装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１７１】
ＣＰＵ１１００は、ＲＯＭ１３００又はＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１７２】
ＨＤＤ１４００は、ＣＰＵ１１００によって実行されるプログラム、及び、かかるプログラムによって使用されるデータ等を格納する。通信インターフェイス１５００は、通信網５０を介して他の機器からデータを受信してＣＰＵ１１００へ送り、ＣＰＵ１１００が生成したデータを、通信網５０を介して他の機器へ送信する。
【０１７３】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを、入出力インターフェイス１６００を介して出力装置へ出力する。
【０１７４】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１７５】
例えば、コンピュータ１０００が第１の実施形態にかかるる配信装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、記憶部１２０内のデータが格納される。コンピュータ１０００のＣＰＵ１１００は、これらのプログラムを、記録媒体１８００から読み取って実行するが、他の例として、他の装置から、通信網５０を介してこれらのプログラムを取得してもよい。
【０１７６】
また、例えば、コンピュータ１０００が第２の実施形態にかかる配信装置２００として機能する場合、コンピュータ１０００のＣＰＵ１１００は、ＲＡＭ１２００上にロードされたプログラムを実行することにより、制御部２３０の機能を実現する。
【０１７７】
〔１２．その他〕
上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【０１７８】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１７９】
また、上述してきた各実施形態は、処理内容を矛盾させない範囲で適宜組み合わせることが可能である。
【０１８０】
（効果）
上述してきたように、配信装置１００および２００は、広告受付部１３１と、記事受付部１３３と、配信部１３６とを有する。広告受付部１３１は、広告主から広告コンテンツの入稿を受け付ける。記事受付部１３３は、記事コンテンツを製作する製作者から記事コンテンツの入稿を受け付ける。配信部１３６は、記事受付部１３３によって受け付けられた記事コンテンツである広告コンテンツを配信する。
【０１８１】
これにより、配信装置１００および２００は、ユーザに対し広告画像をより視認し易くすることができるため、広告効果を高めることができる。また、配信装置１００および２００は、製作者に画像や動画を提供することができるため、製作者に対する記事コンテンツの制作支援を行うことができる。
【０１８２】
また、記事受付部１３３は、広告受付部１３１によって受け付けられた広告コンテンツのうち、製作者から広告コンテンツの選択を受け付け、配信部１３６は、リンク先が記事コンテンツである広告コンテンツとして、当該記事コンテンツを制作した製作者によって選択された広告コンテンツを配信する。
【０１８３】
これにより、配信装置１００および２００は、ユーザに対し広告コンテンツをより視認し易くすることができるため、広告効果を高めることができるとともに、記事コンテンツへユーザをより誘導させることができる。
【０１８４】
また、広告受付部１３１は、広告主から、当該広告主によって入稿された広告コンテンツのリンク先となる記事コンテンツに関する所定の条件の指定を受け付け、記事受付部１３３は、所定の条件を満たす記事コンテンツを製作した製作者から、所定の条件を指定した広告主によって入稿された広告コンテンツの選択を受け付ける。
【０１８５】
これにより、配信装置１００は、広告主が望まない製作者に広告画像が使用されることや、広告主が望まない記事コンテンツのリンク元として広告コンテンツが使用されることを防ぐことができる。
【０１８６】
また、配信装置２００は、選択部２３４を有する。選択部２３４は、広告受付部１３１によって受け付けられた広告コンテンツのうち、各製作者によって制作された記事コンテンツに応じた広告コンテンツを選択する。そして、配信部１３６は、選択部２３４によって選択された広告コンテンツであって、リンク先が記事受付部１３３によって受け付けられた記事コンテンツである広告コンテンツを配信する。
【０１８７】
これにより、配信装置２００は、製作者が広告コンテンツを選択する手間を省くことができるとともに、各製作者によって製作された記事コンテンツ応じた広告コンテンツを選択することで、製作者に対する記事コンテンツの制作支援を行うことができる。
【０１８８】
また、広告受付部１３１は、広告主から、当該広告主によって入稿された広告コンテンツのリンク先となる記事コンテンツに関する所定の条件の指定を受け付け、選択部２３４は、所定の条件を満たす記事コンテンツに応じた広告コンテンツを、所定の条件を指定した広告主によって入稿された広告コンテンツから選択する。
【０１８９】
これにより、配信装置２００は、広告主が望まない製作者に広告コンテンツが使用されることや、広告主が望まない記事コンテンツのリンク元として広告画像が使用されることを防ぐことができる。
【０１９０】
また、配信部１３６は、リンク元として広告コンテンツが配信される記事コンテンツが複数である場合、各記事コンテンツに対応する広告コンテンツが重複しないように、複数の記事コンテンツを選択し、選択した記事コンテンツに対応する広告コンテンツを配信する。
【０１９１】
これにより、配信装置１００および２００は、１のユーザ端末３０に対し、一度に同一の広告コンテンツが複数表示されることを防ぐことができる。仮に、同一の広告コンテンツが複数表示されたとすれば、その広告コンテンツは、他の広告画像よりユーザの目につき易くなるため広告効果が高くなる。配信装置１００および２００は、このように一部の広告コンテンツが有利となることを防ぐことができる。
【０１９２】
また、配信部１３６は、リンク元として広告コンテンツが配信される記事コンテンツが複数存在し、かつ、当該記事コンテンツ対して複数の広告コンテンツが選択されている場合に、各記事コンテンツに対応する広告コンテンツが重複しないように、複数の広告コンテンツから所定の広告コンテンツを選択し、選択した広告コンテンツを配信する。
【０１９３】
これにより、配信装置１００および２００は、１のユーザ端末３０に対し、一度に同一の広告コンテンツが複数表示されることを防ぐことができるため、複数表示された広告コンテンツの広告効果が他の広告コンテンツより高くなることを防ぐことができる。
【０１９４】
また、配信部１３６は、記事コンテンツ対して複数の広告コンテンツが選択されている場合に、当該複数の広告コンテンツの入札価格に基づいて、当該記事コンテンツのリンク元となる広告コンテンツを決定する。
【０１９５】
これにより、配信装置１００および２００は、１つの記事コンテンツに対し複数の広告コンテンツが選択された場合であっても、入札価格に基づいて、公平にリンク元となる広告コンテンツを決定することができる。また、配信装置１００および２００は、広告主間での入札価格競争を活発化することができるため、広告収益を高めることができる。
【０１９６】
また、配信部１３６は、記事コンテンツ対して複数の広告コンテンツが選択されている場合に、配信先のユーザ端末を利用するユーザのユーザ属性に基づいて、当該記事コンテンツのリンク元となる広告コンテンツを決定する。
【０１９７】
これにより、配信装置１００および２００は、れにより、１つの記事コンテンツに対し複数の広告コンテンツが選択された場合であっても、ユーザ属性に基づいて、公平にリンク元となる広告コンテンツを決定することができる。
【０１９８】
また、配信部１３６は、広告コンテンツに対応する記事コンテンツの見出しが表示される広告コンテンツを配信する。
【０１９９】
これにより、配信装置１００および２００は、ユーザに対して記事コンテンツへの興味を高めることができるので、ユーザを記事コンテンツへ誘導することができる。また、配信装置１００および２００は、広告コンテンツにユーザをより注視させることができるため、広告効果を高めることができる。
【０２００】
また、配信部１３６は、広告コンテンツの所定箇所に見出しが重ならないように表示されるような広告コンテンツを配信する。
【０２０１】
これにより、配信装置１００および２００は、ユーザが広告コンテンツから広告主を特定しにくくなるような状況を防ぐことができる。
【０２０２】
また、配信部１３６は、広告コンテンツに対応する記事コンテンツであって、当該広告コンテンツに関連する所定の広告コンテンツが表示されるような記事コンテンツを配信する。
【０２０３】
これにより、配信装置１００および２００は、広告コンテンツに対する広告効果を高めることができる。
【０２０４】
また、配信装置１００および２００は、算定部１３７を有する。算定部１３７は、配信部１３６によって配信された広告コンテンツの入稿元の広告主に対して、当該広告コンテンツの配信実績に基づく課金額を算定する。
【０２０５】
これにより、配信装置１００および２００は、配信実績に基づく広告収益を得ることができる。
【０２０６】
また、算定部１３７は、広告コンテンツが表示された表示サイズに応じた課金額を算定する。
【０２０７】
これにより、配信装置１００および２００は、広告コンテンツの表示サイズに基づく広告収益を得ることができる。
【０２０８】
また、配信装置１００および２００は、審査部１３２を有する。審査部１３２は、広告受付部１３１によって受け付けられた広告コンテンツが、当該広告コンテンツの入稿元の広告主に対応するか否かを審査し、配信部１３６は、広告主に対応すると判定された広告コンテンツを配信する。
【０２０９】
これにより、配信装置１００および２００は、広告主が自身と関係のない広告コンテンツを利用することを防いだり、例えば、広告主が他社（他の広告主）の広告コンテンツを不正に利用するといったことを防ぐことができる。
【０２１０】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０２１１】
また、上述してきた「部（section、module、unit）」は、「手段」や「回路」などに読み替えることができる。例えば、配信部は、配信手段や配信回路に読み替えることができる。
【符号の説明】
【０２１２】
１  配信システム
１０  広告主端末
２０  製作者端末
３０  ユーザ端末
１００  配信装置
１２１  広告情報記憶部
１２２  記事情報記憶部
１３１  広告受付部
１３２  審査部
１３３  記事受付部
１３４  受付部
１３５  決定部
１３６  配信部
１３７  算定部
２３４  選択部
【図１】
2016218863.tif 000003
【図２】
2016218863.tif 000004
【図３】
2016218863.tif 000005
【図４】
2016218863.tif 000006
【図５】
2016218863.tif 000007
【図６】
2016218863.tif 000008
【図７】
2016218863.tif 000009
【図８】
2016218863.tif 000010
【図９】
2016218863.tif 000011
【図１０】
2016218863.tif 000012